(57)【要約】【課題】レターオープナーの利便性を合理的に向上させる。【解決手段】間に送り込まれる切断対象Ｗに協働してカッティングを施す一対の回転刃１、１と、前記切断対象Ｗを前記一対の回転刃１、１間に案内する案内部２とを有している。前記一対の回転刃１、１はそれぞれ、その回転軸線方向ｙに間隔を開けて複数の刃体１ａを有していると共に、前記案内部２における前記切断対象Ｗの縁部Ｗａに接して前記案内部２への前記切断対象Ｗの受入寸法を規制する前記案内部２の内奥部２ａを、前記回転刃１の回転軸線方向ｙに移動されるスライダ３の一部によって構成させてなる。【選択図】図４
2016007828.tif 000002
【特許請求の範囲】
【請求項１】
間に送り込まれる切断対象に協働してカッティングを施す一対の回転刃と、
前記切断対象を前記一対の回転刃間に案内する案内部とを有しており、
前記一対の回転刃はそれぞれ、その回転軸線方向に間隔を開けて複数の刃体を有していると共に、
前記案内部における前記切断対象の縁部に接して前記案内部への前記切断対象の受入寸法を規制する前記案内部の内奥部を、前記回転刃の回転軸線方向に移動されるスライダの一部によって構成させてなる、レターオープナー。
【請求項２】
前記スライダを、少なくとも、前記受入寸法を最小とする第一位置と、前記受入寸法を最大とする第二位置とにおいてそれぞれ、保持状態の解除可能に保持する保持手段を有していると共に、
前記スライダが前記第一位置にある状態においては、前記一対の回転刃における一端側にある一つの刃体のみが前記切断対象に作用され、
前記スライダが前記第二位置にある状態においては、前記一対の回転刃における全ての刃体が前記切断対象に作用されるようにしてなる、請求項１に記載のレターオープナー。
【請求項３】
回動可能な可動部を有しており、前記案内部における前記切断対象の一面を案内する壁部を、回動前位置にある前記可動部の一部によって構成させてなる、請求項１又は請求項２に記載のレターオープナー。
【発明の詳細な説明】
【技術分野】
【０００１】
この発明は、文書細断機能、すなわち、シュレッダ的な機能を併せ持つようにしたレターオープナーに関する。
【背景技術】
【０００２】
封筒の縁部の通し溝を有すると共に、この通し溝に入れ込まれてこの通し溝に沿って移動される封筒の縁部に、モータにより駆動される一対の回転刃体によってカッティングを施すようにしたレターオープナーとして、特許文献１に示されるものがある。
【先行技術文献】
【特許文献】
【０００３】
【特許文献１】特開２００６−７６０２５号公報
【発明の概要】
【発明が解決しようとする課題】
【０００４】
この発明が解決しようとする主たる問題点は、この種のレターオープナーの利便性を合理的に向上させる点にある。
【課題を解決するための手段】
【０００５】
前記課題を達成するために、この発明にあっては、レターオープナーを、間に送り込まれる切断対象に協働してカッティングを施す一対の回転刃と、
前記切断対象を前記一対の回転刃間に案内する案内部とを有しており、
前記一対の回転刃はそれぞれ、その回転軸線方向に間隔を開けて複数の刃体を有していると共に、
前記案内部における前記切断対象の縁部に接して前記案内部への前記切断対象の受入寸法を規制する前記案内部の内奥部を、前記回転刃の回転軸線方向に移動されるスライダの一部によって構成させてなる、ものとした。
【０００６】
前記受入寸法を変えることで、切断対象に作用される前記回転刃の刃体の数を変えることができる。これにより、かかるレターオープナーは、切断対象に一箇所のカッティングを施す通常機能に加えて、切断対象を複数に切り分ける文書細断機能を備える。
【０００７】
かかるレターオープナーにさらに、前記スライダを、少なくとも、前記受入寸法を最小とする第一位置と、前記受入寸法を最大とする第二位置とにおいてそれぞれ、保持状態の解除可能に保持する保持手段を備えさせると共に、
前記スライダが前記第一位置にある状態においては、前記一対の回転刃における一端側にある一つの刃体のみが前記切断対象に作用され、
前記スライダが前記第二位置にある状態においては、前記一対の回転刃における全ての刃体が前記切断対象に作用されるようにしておくことが、この発明の好ましい態様の一つとされる。
【０００８】
また、前記レターオープナーがさらに、回動可能な可動部を有したものとし、前記案内部における前記切断対象の一面を案内する壁部を、回動前位置にある前記可動部の一部によって構成させるようにしておくことが、この発明の好ましい態様の一つとされる。このようにした場合、前記ケーシングの内部において前記切断対象の詰まりなどが生じた場合、前記可動部を通常位置から開き位置まで回動することができ、これにより詰まった前記切断対象の取り除きなどを容易になすことができる。
【発明の効果】
【０００９】
この発明によれば、レターオープナーに、文書細断機能、すなわち、シュレッダ的な機能を、前記一対の回転刃に複数の刃体を備えさせることと、切断対象の前記案内部への受入寸法を規制するの案内部の内奥部を前記スライダの一部により構成させることで、備えさせることができ、かかるレターオープナーの利便性を合理的に向上させることができる。
【図面の簡単な説明】
【００１０】
【図１】図１は、この発明の一実施の形態にかかるレターオープナーの平面図である。
【図２】図２は、前記レターオープナーの左側面図である。
【図３】図３は、図１におけるＣ−Ｃ線位置での断面構成図である。
【図４】図４は、図１におけるＡ−Ａ線位置での断面構成図であり、スライダは第二位置にある。
【図５】図５は、図１におけるＡ−Ａ線位置での断面構成図であり、スライダは第一位置にある。
【図６】図６は、図１におけるＢ−Ｂ線位置での断面構成図であり、スライダは第二位置にある。
【図７】図７は、図１におけるＢ−Ｂ線位置での断面構成図であり、スライダは第一位置にある。
【図８】図８は、スライダの斜視構成図である。
【図９】図９は、スライダが第一位置にある状態を、ケーシングの上部の記載を省略して示した斜視構成図である。
【図１０】図１０は、図９の状態からスライダが第二位置に近い位置まで移動された状態を、ケーシングの上部の記載を省略して示した斜視構成図である。
【図１１】図１１は、可動部が開き位置にある状態を示した斜視構成図である。
【発明を実施するための形態】
【００１１】
以下、図１〜図１１に基づいて、この発明の典型的な実施の形態について、説明する。この実施の形態にかかるレターオープナーは、文書細断機能、すなわち、シュレッダ的な機能を併せ持つものである。
【００１２】
かかるレターオープナーは、間に送り込まれる切断対象Ｗに協働してカッティングを施す一対の回転刃１、１と、前記切断対象Ｗを前記一対の回転刃１、１間に案内する案内部２と、スライダ３とを有している。
【００１３】
図示の例では、レターオープナーは、四角形の上面４ａと、四角形の底面４ｂと、この上面４ａと底面４ｂとの間に亘る四つの側面４ｃ、４ｄ、４ｅ、４ｆとを備えた六面体のケーシング４を備えている。かかるケーシング４内に前記回転刃１、これを駆動するモータ５、このモータ５の電源となる電池（図示は省略する。）、前記スライダ３が内蔵される。
【００１４】
前記切断対象Ｗの案内方向ｘに対し、前記回転刃１の回転軸線方向ｙは直交している。また、前記スライダ３は前記回転軸線方向ｙに移動可能となっている。
【００１５】
図示の例では、ケーシング４の上面４ａの中央に前記案内方向ｘに移動可能な図示しないスイッチの操作部６が備えられている。図示の例では、この操作部６が基準位置（図１に示される位置）にあるときは前記モータ５の図示しない駆動回路は開成（ＯＦＦ）されている。そして、前記基準位置にある操作部６を一方側に移動すると前記モータ５を正転させるように駆動回路が閉成（ＯＮ）され、前記基準位置にある操作部６を他方側に移動すると前記モータ５を逆転させるように駆動回路が閉成されるようになっている。
【００１６】
また、図示の例では、ケーシング４の上面４ａであって、前記操作部６よりも図１における上側（前記切断対象Ｗの送り込み側）には、前記回転軸線方向ｙに長い長穴状をなす窓孔４ｇが形成されている。そして、前記スライダ３の操作部３ａをこの窓孔４ｇを通じて外部から操作できるようになっている。
【００１７】
前記切断対象Ｗ、典型的には、封筒やシートは、図１における上側から前記案内部２に導入・送り込まれ、図１における下側から送り出されるようになっている。図示の例では、かかる切断対象Ｗは手動により前記案内部２に導入され案内されるものとなっている。
【００１８】
前記案内部２は、図１における左側面４ｃよりも右側において前記ケーシング４を左右に二分する前記搬送方向に沿った仮想の第一直線Ｌ１と前記左側面４ｃとの間に形成されている。第一直線Ｌ１はケーシング４をおおむね左側１に対し右側２となる比率で区分している。
【００１９】
また、図示の例では、前記回転刃１は、図１において前記ケーシング４を上下に二分する前記回転軸線方向ｙに沿った仮想の第二直線Ｌ２と図１における送り出し側側面４ｅとの間であって、前記第一直線Ｌ１よりも左側に位置される切断エリア７（ケーシング４の図１における左下隅）に刃体１ａを位置させている。第二直線Ｌ２はケーシング４をおおむね上側２に対し下側１となる比率で区分している。
【００２０】
前記モータ５は、前記第一直線Ｌ１よりも右側で、かつ、前記第二直線Ｌ２よりも下側となる駆動エリア８に内蔵されている。
【００２１】
また、前記一対の回転刃１、１はそれぞれ、その回転軸線方向ｙに間隔を開けて複数の刃体１ａ、１ａ…を有している。図示の例では、一対の回転刃１、１はそれぞれ、円板状の刃体１ａの中央に軸体１ｂを挿通固定させてなる。また、一対の回転刃１、１はそれぞれ、５枚の刃体１ａ、１ａ…を備えている。
【００２２】
前記一対の回転刃１、１の一方は、前記ケーシング４をその上面４ａ側と底面４ｂ側とに二分する仮想の水平面Ｌ３（図３参照）よりも上方に配され、前記一対の回転刃１、１の他方は、前記水平面Ｌ３よりも下方に配されている。図中符号９で示すのはモータ５と回転刃１とを連係するギヤ列であり、モータ５の駆動軸に備えられた第一ギヤ９ａ、前記水平面Ｌ３下の回転刃１の軸体１ｂに支持されると共にこの軸体１ｂと独立して回転される第二ギヤ９ｂ、前記水平面Ｌ３上の回転刃１の軸体１ｂに支持されると共にこの軸体１ｂと独立して回転される第三ギヤ９ｃ、前記水平面Ｌ３下の回転刃１の軸体１ｂと一体化された第四ギヤ９ｄ、前記水平面Ｌ３上の回転刃１の軸体１ｂと一体化された第五ギヤ９ｅからなり、モータ５の駆動力は第一ギヤ９ａ、第二ギヤ９ｂ、第三ギヤ９ｃ、第四ギヤ９ｄの順で前記水平面Ｌ３下の回転刃１に伝達され、この第四ギヤ９ｄにかみ合う第五ギヤ９ｅを介して前記水平面Ｌ３上の回転刃１に伝達されるようになっている。また、図中符号１０で示されるのは前記回転刃１の軸受け部である。また、図示の例では、前記水平面Ｌ３上の回転刃１の刃体１ａの下端と前記水平面Ｌ３下の回転刃１の刃体１ａの上端とが、５枚の刃体１ａ、１ａ…のそれぞれにおいて前記水平面Ｌ３位置で重なり合うようになっている。これにより、一対の回転刃１、１は、両者間に送り込まれる切断対象Ｗを、最大５箇所で切り分けるようになっている。
【００２３】
また、図示の例では、前記ケーシング４における前記第一直線Ｌ１よりも図１における右側であって前記駆動エリア８の上側となる箇所に前記電池の装填部１１が形成されている。
【００２４】
前記案内部２は、前記第一直線Ｌ１よりも図１における左側で且つ前記第二直線Ｌ２よりも上側となるエリアに形成されている。図１における送り込み側側面４ｄと左側面４ｃとにはそれぞれ、ケーシング４内外を連通するスリット４ｈが形成されている。また、図１における送り出し側側面４ｅには、前記切断エリア７内においてケーシング４内外を連通するスリット４ｈが形成されている。かかるスリット４ｈは、実質的に前記水平面Ｌ３に沿うように形成されている。前記送り込み側側面４ｄ及び左側面４ｃのスリット４ｈを利用して、切断対象Ｗの端部を図１の上方からケーシング４内に送り込むことが可能とされる。すなわち、図示の例では、かかる前記送り込み側側面４ｄ及び左側面４ｃのスリット４ｈが案内部２の入り口として機能するようになっている。
【００２５】
また、この実施の形態にあっては、前記案内部２における前記切断対象Ｗの案内方向ｘに沿った縁部Ｗａに接して前記案内部２への前記切断対象Ｗの受入寸法（前記回転軸線方向ｙでの案内部２への入り込み寸法）を規制する前記案内部２の内奥部２ａを、前記回転刃１の回転軸線方向ｙに移動されるスライダ３の一部によって構成させている。
【００２６】
図示の例では、かかるスライダ３は、前記水平面Ｌ３上において、ケーシング４の上面４ａと、送り込み側側面４ｄと、左側面４ｃと、前記第二直線Ｌ２とで囲われた空間内に、前記回転軸線方向ｙに沿ったスライド移動可能に納められている。スライダ３の前記回転軸線方向ｙに沿った寸法は、前記左側面４ｃと前記第一直線Ｌ１との間の距離の約半分となっている。
【００２７】
また、前記スライダ３は、前記水平面Ｌ３に平行な第一下面３ｂ及び第二下面３ｃを備えている。第一下面３ｂとスライダ３の左側面３ｄとの間に下隅部３ｅが形成される。また、第一下面３ｂは第二下面３ｃよりも上方に位置し、かつ、ケーシング４の左側面４ｃに形成されたスリット４ｈの上縁４ｉと同面上に位置している。一方、第二下面３ｃはケーシング４の左側面４ｃに形成されたスリット４ｈの下縁４ｊと同面上に位置している。そして、かかる第一下面３ｂと第二下面３ｃとの間には、かかるケーシング４の左側面４ｃに形成されたスリット４ｈに向いた段差面３ｆが形成されている。図示の例では、かかる段差面３ｆが前記内奥部２ａを構成するスライダ３の一部として機能するようになっている。
【００２８】
図示の例では、前記案内部２が形成されるエリアにおいては、スライダ３の下方に、後述の可動部４”の一部によって切断対象Ｗの一面（図示の例では切断対象Ｗの下面）を案内する壁部２ｂが形成されている。この壁部２ｂは、前記ケーシング４の左側面４ｃに形成されたスリット４ｈの下縁４ｊと同面上に位置されている。切断対象Ｗの他面（図示の例では切断対象Ｗの上面）は前記スライダ３の第一下面３ｂによって案内される。
【００２９】
前記受入寸法を変えることで、切断対象Ｗに作用される前記回転刃１の刃体１ａの数を変えることができる。これにより、この実施の形態にかかるレターオープナーは、切断対象Ｗに一箇所のカッティングを施す通常機能に加えて、切断対象Ｗを複数に切り分ける文書細断機能を備える。
【００３０】
図示の例では、案内部２に案内されて前記切断エリア７においてカッティングが施された切断対象Ｗは、図１におけるケーシング４の送り出し側側面４ｅに形成されたスリット４ｈよりケーシング４外に送り出される。
【００３１】
また、この実施の形態にあっては、前記スライダ３を、少なくとも、前記受入寸法を最小とする第一位置（図５、図７の位置）と、前記受入寸法を最大とする第二位置（図４、図６の位置）とにおいてそれぞれ、保持状態の解除可能に保持する保持手段１２を有している。それと共に、前記スライダ３が前記第一位置にある状態においては、前記一対の回転刃１、１における一端側（図3における左側）にある一つの刃体１ａのみが前記切断対象Ｗに作用され、前記スライダ３が前記第二位置にある状態においては、前記一対の回転刃１、１における全ての刃体１ａ、１ａ…が前記切断対象Ｗに作用されるようにしてなる。
【００３２】
図示の例では、前記スライダ３の上面部３ｈであって、前記切断対象Ｗの案内方向ｘにおいて、前記操作部３ａを挟んだ両側にそれぞれ、弾性係合片１２ａが形成されている。また、前記ケーシング４の上面４ａを構成する部分の内側には、前記第一位置において各前記弾性係合片１２ａが係合する第一凹所１２ｃと、前記第二位置において各前記弾性係合片１２ａが係合する第二凹所１２ｄとが形成されている（図４及び図５においては図１において操作部３ａの上側に位置される弾性係合片１２ａと第一凹所１２ｃ及び第二凹所１２ｄを示す。図示は省略するが、前記操作部３ａの下側に位置される弾性係合片１２ａに対応した第一凹所１２ｃ及び第二凹所１２ｄもケーシング４に形成されている）。前記弾性係合片１２ａは、前記スライダ３の移動方向に沿った二条の割り溝３ｇ、３ｇにより区分された前記スライダ３の上面部３ｈの一部によって構成されている。前記弾性係合片１２ａは、前記ケーシング４の右側面４ｆに向けられる端部を自由端とすると共に、この自由端に突起１２ｂを有している。前記スライダ３が第一位置にあるとき、かかる突起１２ｂは第一凹所１２ｃに入り込みスライダ３がこの第一位置にある状態が保持され、また、前記スライダ３が第二位置にあるとき、かかる突起１２ｂは第二凹所１２ｄに入り込みスライダ３がこの第二位置にある状態が保持されるようになっている。第一位置にあるスライダ３を第二位置に向けて移動操作すると弾性係合片１２ａは下向きに弾性変形して前記突起を第一凹所１２ｃから抜け出させ、スライダ３の第二位置に向けた移動が許容され、スライダ３が第二位置に至ると弾性係合片１２ａが弾性復帰して前記突起１２ｂは第二凹所１２ｄに入り込むようになっている。また、第二位置にあるスライダ３を第一位置に向けて移動操作すると弾性係合片１２ａは下向きに弾性変形して前記突起１２ｂを第二凹所１２ｄから抜け出させ、スライダ３の第一位置に向けた移動が許容され、スライダ３が第一位置に至ると弾性係合片１２ａが弾性復帰して前記突起１２ｂは第一凹所１２ｃに入り込むようになっている。すなわち、図示の例では、かかる弾性係合片１２ａと第一凹所１２ｃ及び第二凹所１２ｄによって前記保持手段１２を構成させている。
【００３３】
また、この実施の形態にあっては、前記ケーシング４は、本体４’と、この本体４’に対して回動可能な可動部４”とを有している。そして、前記案内部２における前記切断対象Ｗの一面を案内する壁部２ｂを、回動前位置にある前記可動部４”の一部によって構成させている。図示の例では、前記ケーシング４における図１において前記第一直線Ｌ１よりも左側で、前記第二直線Ｌ２より切断対象Ｗの送り込み側で、かつ、前記水平面Ｌ３より下側となる箇所が、前記可動部４”となり、これ以外の箇所が前記本体４’となっている。かかる可動部４”は、前記本体４’に、前記スライダ３の移動方向に軸線を沿わせた回動軸４ｋをもって、回動可能に組み付けられている。そして、かかる可動部４”は、通常は、図示しない保持手段１２により、前記壁部２ｂとなる一部を前記水平面Ｌ３に平行に位置させた通常位置に位置づけられるようになっている。前記ケーシング４の内部において前記切断対象Ｗの詰まりなどが生じた場合、前記可動部４”は前記保持を解いて前記通常位置から前記壁部２ｂとなる一部を前記水平面Ｌ３に直交させる開き位置まで回動することができ（図１１）、これにより詰まった前記切断対象Ｗの取り除きなどを容易になすことができる。
【００３４】
なお、図示の例では、前記スライダ３の第一下面３ｂと、前記可動部４”の前記壁部２ｂとにそれぞれ、前記スライダ３の移動方向に沿った断面を台形形状とする隆起部２ｃ、３ｉが形成されており、この隆起部位置で案内部２は切断対象Ｗをその表裏から挟むようになっている。
【００３５】
なお、当然のことながら、本発明は以上に説明した実施態様に限定されるものではなく、本発明の目的を達成し得るすべての実施態様を含むものである。
【符号の説明】
【００３６】
Ｗ  切断対象
Ｗａ  縁部
ｙ  回転軸線方向
１  回転刃
１ａ  刃体
２  案内部
２ａ  内奥部
３  スライダ
【図１】
2016007828.tif 000003
【図２】
2016007828.tif 000004
【図３】
2016007828.tif 000005
【図４】
2016007828.tif 000006
【図５】
2016007828.tif 000007
【図６】
2016007828.tif 000008
【図７】
2016007828.tif 000009
【図８】
2016007828.tif 000010
【図９】
2016007828.tif 000011
【図１０】
2016007828.tif 000012
【図１１】
2016007828.tif 000013